(57)【要約】【課題】大規模災害の発生直後でも、簡単な操作によって家族・親族相互間で無事を確認することの成功可能性を向上させることを可能とする携帯端末装置等を提供する。【解決手段】携帯端末装置１０は、音声通話網に接続する音声通信手段１６と、データ通信網に接続するデータ通信手段１５と、音声通話網およびデータ通信網の各々に対して指定された宛先を予め記憶している記憶手段１２と、ユーザが発音した音声を音声データに変換する音声入力部２２と、音声データをテキストデータに変換する音声認識部２３とを備えると共に、各々の宛先がいずれに対して指定されたものであるかを順次判断して、その判断の結果に応じて音声データまたはテキストデータを各宛先に順次送出する情報送出部２６を設けた構成である。【選択図】図１
2013062639.tif 000002
【特許請求の範囲】
【請求項１】
音声通話網およびデータ通信網を介して指定された宛先に非常情報を伝達することが可能な携帯端末装置であって、
前記音声通話網に接続する音声通信手段と、前記データ通信網に接続するデータ通信手段と、前記音声通話網および前記データ通信網の各々に対して一つ以上の前記指定された宛先を予め記憶している記憶手段と、ユーザが発音した音声を音声データに変換して前記記憶手段に記憶する音声入力部と、前記音声データをテキストデータに変換して前記記憶手段に記憶する音声認識部とを備えると共に、
前記記憶手段に記憶された各々の宛先が前記音声通話網および前記データ通信網のいずれに対して指定されたものであるかを順次判断して、その判断の結果に応じて前記音声データおよび前記テキストデータのうちのいずれかを前記各宛先に順次送出する情報送出部を設け、
この情報送出部が、前記宛先が前記音声通話網に対して指定されたものであれば前記音声データを該宛先に送出し、前記宛先が前記データ通信網に対して指定されたものであれば前記テキストデータを該宛先に送出する
ことを特徴とする携帯端末装置。
【請求項２】
前記情報送出部が、
前記記憶手段に記憶された各々の宛先のうち、前記音声通話網および前記データ通信網のうちの一方の側の宛先に対する前記データの送出を先に完了させてから、残る一方の側の宛先に対する前記データの送出を行うことを特徴とする、請求項１に記載の携帯端末装置。
【請求項３】
前記情報送出部が、
前記音声データおよび前記テキストデータのうちのいずれかを送信する時に通信が確立しなかった場合にこれを検出してその宛先を前記記憶手段に記憶し、予め与えられた時間間隔を経て後その宛先に当該データを再送する機能を備えることを特徴とする、請求項１に記載の携帯端末装置。
【請求項４】
前記情報送出部が、
前記通信が確立しなかった前記音声データもしくは前記テキストデータを再送する場合の前記時間間隔を時間の経過に応じて長くする機能を備えることを特徴とする、請求項３に記載の携帯端末装置。
【請求項５】
前記音声データの入力が行われた現在位置を位置情報データとして取得する位置情報取得手段を備えると共に、
前記情報送出部が、前記テキストデータを前記データ通信網に対して指定された宛先宛に送出する際に前記位置情報データを付属させて送出することを特徴とする、請求項１に記載の携帯端末装置。
【請求項６】
デジタル写真を撮影して写真データとして出力する撮影手段を備えると共に、
前記情報送出部が、前記テキストデータを前記データ通信網に対して指定された宛先宛に送出する際に前記写真データを付属させて送出することを特徴とする、請求項１に記載の携帯端末装置。
【請求項７】
音声通話網およびデータ通信網の各々に対して一つ以上予め記憶されている指定された宛先に非常情報を伝達することが可能な携帯端末装置にあって、
ユーザが発音した音声を音声入力部が音声データに変換して記憶し、
前記音声データを音声認識部がテキストデータに変換して記憶し、
前記宛先が音声通話網およびデータ通信網のいずれに対して指定されたものであるかを情報送出部が判断し、
前記宛先が前記音声通話網に対して指定されたものであれば前記音声データを該宛先に送出し、前記宛先が前記データ通信網に対して指定されたものであれば前記テキストデータを該宛先に送出する処理を前記情報送出部が各々の前記宛先に対して行う
ことを特徴とする非常情報伝達方法。
【請求項８】
音声通話網およびデータ通信網の各々に対して一つ以上予め記憶されている指定された宛先に非常情報を伝達することが可能な携帯端末装置にあって、
前記携帯端末装置が備えているコンピュータに、
ユーザが発音した音声を音声データに変換して記憶する手順、
前記音声データをテキストデータに変換して記憶する手順、
前記音声データを前記音声通話網に対して前記指定された宛先宛に送出する手順、
前記宛先が音声通話網およびデータ通信網のいずれに対して指定されたものであるかを判断する手順、
および前記宛先が前記音声通話網に対して指定されたものであれば前記音声データを該宛先に送出し、前記宛先が前記データ通信網に対して指定されたものであれば前記テキストデータを該宛先に送出する処理を各々の前記宛先に対して行う手順
を実行させることを特徴とする非常情報伝達プログラム。
【発明の詳細な説明】
【技術分野】
【０００１】
本発明は、携帯端末装置、携帯端末装置による非常情報伝達方法および非常情報伝達プログラムに関し、特に大規模災害が発生した場合に家族・親族相互間で無事を確認することの成功可能性を向上させることが可能な携帯端末装置などに関する。
【背景技術】
【０００２】
西暦２０１１年３月１１日に発生した東北地方太平洋沖地震（いわゆる東日本大震災）を通じて、大規模災害発生時における緊急連絡網の整備に対する重要性がますます高まっている。このような大規模災害が発生した場合、家族・親族相互間で無事を確認しあうことが必要となる。
【０００３】
家族・親族相互間で無事を確認しあう場合、携帯電話や公衆電話などを利用して音声通話で連絡を試みるか、あるいは電子メールや特定のウェブサイト、たとえばツイッター、フェイスブック、ミクシィ（いずれも登録商標）などのようなＳＮＳ（Social Network Service）での連絡を試みることが多い。また、携帯電話キャリア各社などが開設している災害用伝言板や伝言ダイアルなどを利用することもできる。
【０００４】
これに関連する技術文献として、次の各々がある。その中でも特許文献１には、携帯端末装置からの文字メッセージ送信で、通信が正常に行えなかった場合にメッセージの再送を行うという技術が記載されている。特許文献２には、特定の音声（犬笛）の検出によって非常事態が発生したことを検出し、予め登録されたメッセージを自動的に送信するという携帯端末装置が記載されている。
【０００５】
特許文献３には、ユーザからの呼び出し指示に応じて電子メールを自動的に作成する（必要に応じて画像や位置情報などのデータも付加する）という携帯端末装置が記載されている。特許文献４には、音声信号をテキストデータ（またはその逆方向）に変換して送信するという緊急通報システムが記載されている。
【０００６】
特許文献５には、独居者（老人など）の緊急連絡用の携帯端末装置で、設定された時間帯に操作がなされない場合、または電池の残量が減少した場合に緊急メッセージを発信するという技術が記載されている。非特許文献１は、音声認識に関する代表的な公知技術とその動向についてまとめたものである。
【先行技術文献】
【特許文献】
【０００７】
【特許文献１】特開２０００−３４１７６０号公報
【特許文献２】特開２００７−０１９９３３号公報
【特許文献３】特開２００７−０４８１５６号公報
【特許文献４】特開２００９−２３９８６５号公報
【特許文献５】特開２０１０−１４１７８２号公報
【非特許文献】
【０００８】
【非特許文献１】「音声認識技術に関する特許出願技術動向調査報告」、平成１５年５月２２日、特許庁総務部技術調査課、［平成２３年８月３１日検索］、インターネット＜URL：http://www.jpo.go.jp/shiryou/pdf/gidou-houkoku/voice_recognition.pdf＞
【発明の概要】
【発明が解決しようとする課題】
【０００９】
前述のように、多くの携帯端末装置では音声通話とデータ通信とがいずれも使用可能であり、また音声通話とデータ通信のいずれについても、大規模災害発生時に家族・親族相互間での無事の確認のために利用できる多くの連絡手段が提供されている。しかしながら、どの連絡手段も、災害発生の直後には非常に混雑するので、すぐに無事を確認しあうことは困難である。
【００１０】
また、大規模災害が発生した場合、ユーザは自らが生き延びることが精一杯であり、また気が動転しているので、時間的にも心情的にも余裕がなく、携帯端末装置に対して複雑な操作を行って複数の連絡手段を利用することが困難である。この観点からも、家族・親族相互間ですぐに無事を確認しあうことは困難なものとなる。
【００１１】
この問題を解決しうる技術は、前述の特許文献１〜５および非特許文献１には記載されていない。また、それらの技術を組み合わせたとしても、その問題を解決しうる技術を得ることはできない。音声通話とデータ通信の両方を利用して非常情報の伝達を行う技術は、特許文献２および５に記載されているが、これらはいずれも、単に音声とデータのうちのいずれかが連絡手段として利用可能であるというものである。積極的に両方の手段を利用する技術思想は、特許文献１〜５および非特許文献１のいずれにも記載されていない。
【００１２】
また、特許文献４に記載の技術では音声信号とテキストデータの相互間でのデータ形式の変換を行っているが、これはファックスや旧来のパソコン通信などと同様に、アナログモデムを利用してテキストデータを音声通話網で伝送可能な信号に変換して伝送するというものである。人間が発音して他の人間が聞き取る音声言語とテキストデータの相互間での変換は、特許文献１〜５および非特許文献１のいずれにも記載されていない。
【００１３】
本発明の目的は、大規模災害の発生直後でも、簡単な操作によって家族・親族相互間で無事を確認することの成功可能性を向上させることを可能とする携帯端末装置、携帯端末装置による非常情報伝達方法および非常情報伝達プログラムを提供することにある。
【課題を解決するための手段】
【００１４】
上記目的を達成するため、本発明に係る携帯端末装置は、音声通話網およびデータ通信網を介して指定された宛先に非常情報を伝達することが可能な携帯端末装置であって、音声通話網に接続する音声通信手段と、データ通信網に接続するデータ通信手段と、音声通話網およびデータ通信網の各々に対して一つ以上の指定された宛先を予め記憶している記憶手段と、ユーザが発音した音声を音声データに変換して記憶手段に記憶する音声入力部と、音声データをテキストデータに変換して記憶手段に記憶する音声認識部と、記憶手段に記憶された各々の宛先が音声通話網およびデータ通信網のいずれに対して指定されたものであるかを順次判断して、その判断の結果に応じて音声データおよびテキストデータのうちのいずれかを各宛先に順次送出する情報送出部とを備えると共に、この情報送出部が、宛先が音声通話網に対して指定されたものであれば音声データを該宛先に送出し、宛先がデータ通信網に対して指定されたものであればテキストデータを該宛先に送出することを特徴とする。
【００１５】
上記目的を達成するため、本発明に係る非常情報伝達方法は、音声通話網およびデータ通信網の各々に対して一つ以上予め記憶されている指定された宛先に非常情報を伝達することが可能な携帯端末装置にあって、ユーザが発音した音声を音声入力部が音声データに変換して記憶し、音声データを音声認識部がテキストデータに変換して記憶し、宛先が音声通話網およびデータ通信網のいずれに対して指定されたものであるかを情報送出部が判断し、宛先が音声通話網に対して指定されたものであれば音声データを該宛先に送出し、宛先がデータ通信網に対して指定されたものであればテキストデータを該宛先に送出する処理を情報送出部が全ての宛先に対して行うことを特徴とする。
【００１６】
上記目的を達成するため、本発明に係る非常情報伝達プログラムは、音声通話網およびデータ通信網の各々に対して一つ以上予め記憶されている指定された宛先に非常情報を伝達することが可能な携帯端末装置にあって、携帯端末装置が備えているコンピュータに、ユーザが発音した音声を音声データに変換して記憶する手順、音声データをテキストデータに変換して記憶する手順、音声データを音声通話網に対して指定された宛先宛に送出する手順、宛先が音声通話網およびデータ通信網のいずれに対して指定されたものであるかを判断する手順、および宛先が音声通話網に対して指定されたものであれば音声データを該宛先に送出し、宛先がデータ通信網に対して指定されたものであればテキストデータを該宛先に送出する処理を全ての宛先に対して行う手順を実行させることを特徴とする。
【発明の効果】
【００１７】
本発明は、上記したように、ユーザが発音した音声を音声データからテキストデータに変換し、それらの各データを音声通話網とデータ通信網とを併せて利用して送出するように構成したので、煩雑なキー操作を必要とはせずに、非常情報を伝達することが成功する可能性をより高くすることが可能となる。これによって、大規模災害の発生直後でも、簡単な操作によって家族・親族相互間で無事を確認することの成功可能性を向上させることが可能であるという優れた特徴を持つ携帯端末装置、携帯端末装置による非常情報伝達方法および非常情報伝達プログラムを提供することができる。
【図面の簡単な説明】
【００１８】
【図１】本発明の第１の実施形態に係る携帯端末装置の構成について示す説明図である。
【図２】図１に示した携帯端末装置で、平常時に行っておく事前登録の動作について示すフローチャートである。
【図３】図２のステップＳ１０２〜１０３として示した、操作入力部が送信先の登録の際に操作入出力手段に表示する画面について示す説明図である。
【図４】図２に示した動作を通じて、図１に示した宛先情報記憶部に記憶される宛先情報の例を示す説明図である。
【図５】図１に示した携帯端末装置で、災害発生時の非常情報送信の動作について示すフローチャートである。
【図６】図１に示した携帯端末装置が行う非常情報送信の処理の概念を示す説明図である。
【図７】本発明の第２の実施形態に係る携帯端末装置の構成について示す説明図である。
【図８】図７で示した携帯端末装置で、災害発生時の非常情報送信の動作について示すフローチャートである。
【発明を実施するための形態】
【００１９】
（第１の実施形態）
以下、本発明の第１の実施形態の構成について添付図１に基づいて説明する。
最初に、本実施形態の基本的な内容について説明し、その後でより具体的な内容について説明する。
本実施形態に係る携帯端末装置１０は、音声通話網およびデータ通信網を介して指定された宛先に非常情報を伝達することが可能な携帯端末装置であり、音声通話網に接続する音声通信手段１６と、データ通信網に接続するデータ通信手段１５と、音声通話網およびデータ通信網の各々に対して一つ以上の指定された宛先を予め記憶している記憶手段１２と、ユーザが発音した音声を音声データに変換して記憶手段１２に記憶する音声入力部２２と、音声データをテキストデータに変換して記憶手段１２に記憶する音声認識部２３ととを備えると共に、記憶手段に記憶された各々の宛先が音声通話網およびデータ通信網のいずれに対して指定されたものであるかを順次判断して、その判断の結果に応じて音声データおよびテキストデータのうちのいずれかを各宛先に順次送出する情報送出部２６を設けている。そしてこの情報送出部２６は、宛先が音声通話網に対して指定されたものであれば音声データを該宛先に送出し、宛先がデータ通信網に対して指定されたものであればテキストデータを該宛先に送出する。
【００２０】
また、情報送出部２６は、記憶手段に記憶された各々の宛先のうち、音声通話網およびデータ通信網のうちの一方の側の宛先に対する送出を先に完了させてから、残る一方の側の宛先に対する送出を行うようにすることもできる。そして、この情報送出部２６は、音声データおよびテキストデータのうちのいずれかを送信する時に通信が確立しなかった場合にこれを検出してその宛先を記憶手段１２に記憶し、予め与えられた時間間隔を経て後その宛先に当該データを再送する機能を備える。ここで、その場合の時間間隔を時間の経過に応じて長くする機能もさらに備える。
【００２１】
そして、携帯端末装置１０は、音声データおよびテキストデータの入力が行われた現在位置を位置情報データとして取得する位置情報取得手段１７を備えると共に、情報送出部２６は、テキストデータをデータ通信網に対して指定された宛先宛に送出する際に位置情報データを付属させて送出する。
【００２２】
以上の構成を備えることにより、本実施形態に係る携帯端末装置１０は、大規模災害の発生直後でも、簡単な操作によって家族・親族相互間で無事を確認することの成功可能性を向上させることが可能なものとなる。
以下、これをより詳細に説明する。
【００２３】
図１は、本発明の第１の実施形態に係る携帯端末装置１０の構成について示す説明図である。携帯端末装置１０は、携帯電話端末（いわゆるスマートフォン、もしくはフィーチュアフォン）およびコンピュータとして一般的な構成を備える。即ち、携帯端末装置１０は、コンピュータプログラムを実行する主体である主演算制御手段（ＣＰＵ: Central Processing Unit）１１と、データを記憶する記憶手段１２と、ユーザからの操作入力を受け付け、また処理結果をユーザに対して提示する操作入出力手段１３とを備える。
【００２４】
そして、携帯端末装置１０は、音声通話に係る音声の入出力を行う音声入出力手段１４と、データ通信網に接続して他装置との間でデータ通信を行うデータ通信手段１５と、音声通話網に接続して音声データを他装置との間で通信する音声通信手段１６と、ＧＰＳ（Global Positioning System）を利用して位置情報を取得する位置情報取得手段１７とをさらに備える。
【００２５】
主演算制御手段１１は、コンピュータプログラムが動作することにより、操作入力部２１、音声入力部２２、音声認識部２３、位置情報登録部２４、宛先情報登録部２５、情報送出部２６の各々として動作する。これらの各々の機能については後述する。また、記憶手段１２には、宛先情報記憶部２７、音声データ記憶部２８、テキストデータ記憶部２９、位置情報記憶部３０といった記憶領域が予め確保されている。これについても後述する。
【００２６】
操作入力部２１は、ユーザが選択可能なメニューを操作入出力手段１３に表示し、これに対するユーザの操作入力を受け付ける。音声入力部２２は、このメニューから呼び出されて最初に動作し、音声入出力手段１４を介して入力された「私は無事です」などのようなユーザの音声信号を音声データに変換して音声データ記憶部２８に記憶する。
【００２７】
音声認識部２３は、音声入力部２２によってユーザが発音した音声から変換された音声データを、テキストデータに変換してテキストデータ記憶部２９に記憶する。音声認識部２３には、非特許文献１に記載されたものや同文献以後に作られたものも含めて、音声認識に関する各種の公知技術を利用することができる。本発明は、音声認識技術そのものに係る発明ではないので、これらの公知技術については本明細書では詳しく説明しない。
【００２８】
位置情報登録部２４は、音声入力部２２および音声認識部２３にユーザの音声が入力された位置を、位置情報取得手段１７を介して取得し、これとユーザの音声が入力された日時とを対応づけた位置情報データを、位置情報記憶部３０に記憶する。音声データ記憶部２８、テキストデータ記憶部２９および位置情報記憶部３０に記憶されるデータ形式は、任意のものでよい。
【００２９】
宛先情報登録部２５は、音声データ記憶部２８に記憶されたユーザの音声データと、この音声データから変換されてテキストデータ記憶部２９に記憶されたテキストデータとを送信すべき送信先を、ユーザに予め操作入出力手段１３を介して登録させて、これを宛先情報記憶部２７に記憶する。
【００３０】
ここでいう送信先とは、音声データに対しては通常の音声通話（携帯電話、もしくは一般の加入電話）、テキストデータについては電子メールアドレス（携帯電話、もしくはパーソナルコンピュータ）、もしくは特定のウェブサイト（たとえばツイッター、フェイスブック、ミクシィなどのＳＮＳ、あるいはウェブログなどでもよい）のＵＲＬおよび当該ウェブサイトで使用されるＩＤ／パスワードなどである。
【００３１】
情報送出部２６は、宛先情報記憶部２７に登録された送信先に、音声データ記憶部２８、テキストデータ記憶部２９、および位置情報記憶部３０に蓄積された音声データ、テキストデータ、および位置情報データを送信する。その際、送信に失敗した送信先には、所定の時間間隔をおいて当該データの再送を試みる。再送を繰り返す場合には、携帯端末装置１０の電池（図示せず）の残量も考慮し、最初は頻繁に、次第に間隔をあけて自動的に再送を行う。
【００３２】
図２は、図１に示した携帯端末装置１０で、平常時に行っておく事前登録の動作について示すフローチャートである。操作入力部２１が、操作入出力手段１３に表示する操作メニューのうちの「事前登録開始」をユーザが選択すると（ステップＳ１０１）、操作入力部２１が操作入出力手段１３に「非常情報の送信先を登録してください」と表示する（ステップＳ１０２）。
【００３３】
これに応じて、ユーザが送信先を操作入出力手段１３に対して入力し、この入力された内容を宛先情報登録部２５が宛先情報記憶部２７に記憶する（ステップＳ１０３）。以後、複数の送信先に対して、ステップＳ１０２〜１０３の動作を繰り返す（ステップＳ１０４）。ステップＳ１０４では、音声データとテキストデータの両方に対して各々１つ以上の送信先が登録された場合に、処理を終了する。
【００３４】
図３は、図２のステップＳ１０２〜１０３として示した、操作入力部２１が送信先の登録の際に操作入出力手段１３に表示する画面について示す説明図である。操作入力部２１が最初に操作入出力手段１３に表示する送信先登録画面１５０には、送信するデータの種類を「音声データ」と「テキストデータ」から選択するデータ種類選択ボタン１５０ａとＯＫボタン１５０ｂとが配置されている。
【００３５】
ユーザがこのデータ種類選択ボタン１５０ａで「音声データ」を選択してＯＫボタン１５０ｂを押すと、操作入力部２１は音声データ送信先入力画面１５１を操作入出力手段１３に表示する。音声データ送信先入力画面１５１には、その音声データの送信先である電話番号を入力する電話番号入力ボックス１５１ａとＯＫボタン１５１ｂとが配置されている。ユーザが電話番号入力ボックス１５１ａに電話番号を入力してＯＫボタン１５１ｂを押すと、宛先情報登録部２５がここまでで入力された内容を宛先情報記憶部２７に記憶する。
【００３６】
送信先登録画面１５０で、データ種類選択ボタン１５０ａで「テキストデータ」を選択してＯＫボタン１５０ｂを押すと、操作入力部２１はテキストデータ送信先入力画面１５２を操作入出力手段１３に表示する。テキストデータ送信先入力画面１５２は、そのテキストデータの送信先であるウェブサイトを選択する送信先サイト選択ボタン１５２ａと、当該ウェブサイトで使用されるＩＤとパスワードとを入力するＩＤ／パスワード入力ボックス１５２ｂと、ＯＫボタン１５２ｃとが配置されている。
【００３７】
送信先サイト選択ボタン１５２ａは、たとえばツイッター、フェイスブック、ミクシィなどのように、テキストデータの送信先のウェブサイトを選択できる。ユーザが送信先サイト選択ボタン１５２ａを選択して、当該ウェブサイトで使用するＩＤとパスワードとをＩＤ／パスワード入力ボックス１５２ｂに入力してＯＫボタン１５２ｃを押すと、宛先情報登録部２５がここまでで入力された内容を宛先情報記憶部２７に記憶する。
【００３８】
ここで、音声データとテキストデータのいずれも、各々複数の送信先を登録することができる。また、図３に示した例以外の入力ボックスを設けてもよい。たとえば、音声データの送信先として災害用伝言ダイアルを利用する場合に、この伝言ダイアルの利用時に入力する必要のある暗証番号や自宅電話番号などを入力するための入力ボックスを、音声データ送信先入力画面１５１に設けてもよい。
【００３９】
図４は、図２に示した動作を通じて、図１に示した宛先情報登録部２５が宛先情報記憶部２７に記憶する宛先情報の例を示す説明図である。宛先情報記憶部２７に記憶されるデータは、データ種類２７ａ、宛先番号２７ｂ、ウェブサイトＵＲＬ２７ｃ、ＩＤ２７ｄ、パスワード２７ｅ、送信成否２７ｆなどのようなデータ項目を含む。必要に応じて、これら以外のデータを含むこともできる。
【００４０】
データ種類２７ａは、図３に示した送信先登録画面１５０のデータ種類選択ボタン１５０ａで選択された「音声データ」と「テキストデータ」のうちのいずれかの内容を記憶するものである。宛先番号２７ｂは、図３に示した音声データ送信先入力画面１５１の電話番号入力ボックス１５１ａに入力された電話番号を記憶するものである。
【００４１】
ウェブサイトＵＲＬ２７ｃは、図３に示したテキストデータ送信先入力画面１５２の送信先サイト選択ボタン１５２ａで選択された「ツイッター」「フェイスブック」「ミクシィ」などの送信先のＵＲＬを記憶するものである。たとえば送信先サイト選択ボタン１５２ａで「ツイッター」が選択された場合、ウェブサイトＵＲＬ２７ｃとして「http://twitter.com/」が記憶される。他の選択肢でも同様である。
【００４２】
ＩＤ２７ｄおよびパスワード２７ｅは、図３に示したウェブサイト種類２７ｃの送信先サイトで使用される、テキストデータ送信先入力画面１５２のＩＤ／パスワード入力ボックス１５２ｂに入力されたＩＤおよびパスワードを各々記憶するものである。送信成否２７ｆは、たとえばその宛先への音声データまたはテキストデータの送出が成功すれば「○」、成功していなければ「×」などのような状態を示す２値データである。送信成否２７ｆの初期値は全て「×」となる。
【００４３】
図５は、図１に示した携帯端末装置１０で、災害発生時の非常情報送信の動作について示すフローチャートである。操作入力部２１は、操作入出力手段１３に表示する操作メニューの筆頭に「非常情報送信」を表示する（ステップＳ２０１）。または、通常の操作ボタンとは別に、非常情報送信専用の操作ボタンを設けてもよい。
【００４４】
ユーザが非常情報送信を選択すると（ステップＳ２０２）、まずユーザの音声を登録する動作となる。音声入出力手段１４を介して「私は無事です」などのように音声が入力されると（ステップＳ２０３）、これを音声入力部２２が音声データに変換して音声データ記憶部２８に記憶する（ステップＳ２０４）。そして、さらにこの音声データを、音声認識部２３がテキストデータに変換してテキストデータ記憶部２９に記憶する（ステップＳ２０５）。
【００４５】
そして、位置情報登録部２４は、この音声データとテキストデータの入力が行われた現在位置および日時を示す位置情報データを位置情報取得手段１７を介して取得して、位置情報記憶部３０に記憶する（ステップＳ２０６）。
【００４６】
以上の情報が全て揃ったところで、情報送出部２６は、宛先情報記憶部２７から送信先を読み出し（ステップＳ２０７）、データ種類２７ａが音声データかテキストデータかを判断する（ステップＳ２０８）。データ種類２７ａが「音声データ」であれば情報送出部２６が音声データを宛先番号２７ｂに送信し（ステップＳ２０９）、データ種類２７ａが「テキストデータ」であれば情報送出部２６がテキストデータと位置情報データを（ＩＤ２７ｄおよびパスワード２７ｅを利用して）ウェブサイトＵＲＬ２７ｃに送信し（ステップＳ２１０）、いずれの場合も送信が完了したその宛先の送信成否２７ｆの値を「○」として、ステップＳ２１１に進む。
【００４７】
そして、情報送出部２６は、宛先情報記憶部２７に登録された送信先の中で音声データもしくはテキストデータを送信していない送信先が存在するか否か、即ち送信成否２７ｆの値が「×」である送信先が残っているか否かを判断する（ステップＳ２１１）。データを送信していない送信先が存在しなければ、即ち全ての送信先に送信が完了すれば、非常情報送信の処理は終了である。データを送信していない送信先が残っていれば、情報送出部２６は、予め与えられた所定の秒数を待った上で（ステップＳ２１２）、その未送信の送信先に対してステップＳ２０８からの処理を繰り返す（ステップＳ２１３）。
【００４８】
ここで、宛先情報記憶部２７に記憶された各々の宛先に対する音声データもしくはテキストデータの送信は、宛先情報記憶部２７に記憶された順番の通りに順次行ってもよいし、音声データの送信のみを先に完了させてからテキストデータの送信に移る、またはその逆にテキストデータの送信のみを先に完了させてから音声データの送信に移るようにしてもよい。
【００４９】
また、特定の送信先に対する音声データもしくはテキストデータの送信が、回線の輻輳などのような原因で失敗した場合、その送信先へのデータ送信は完了していない。そのため、情報送出部２６は、所定の秒数を待った上でステップＳ２０８からの処理を繰り返すというステップＳ２１２〜２１３の処理に進む。この場合、その送信先へのデータ送信を繰り返しても成功しなかった場合、その送信先への送信を一旦保留して、宛先情報記憶部２７の送信成否２７ｆの値を「×」、即ちその送信先へのデータ送信が未済である旨を記憶し、他の送信先へのデータ送信に進んでもよい。即ち、情報送出部２６は、送信成否２７ｆが「×」である宛先に対して、所定の秒数を待った上で情報の再送（リトライ）を行う。
【００５０】
また、ステップＳ２１２の「予め与えられた所定の秒数を待つ」処理では、携帯端末装置１０の電池（図示せず）の残量も考慮して、処理を開始したばかりの時には待ち時間を短くして頻繁に、そして時間が経過するにつれて次第に待ち時間を長くして再送を行うようにすることもできる。
【００５１】
図６は、図１に示した携帯端末装置１０が行う非常情報送信の処理の概念を示す説明図である。携帯端末装置１０は、図１に示したデータ通信手段１５によってデータ通信網２５１に接続してメールサーバやウェブサーバなどとの間で通信を行うと共に、音声通信手段１６によって音声通話網２５２に接続して音声データを通話先に伝達することができる。
【００５２】
大規模災害の発生時には、これらのデータ通信と音声通話を併せて利用することにより、家族や親族へ自らの無事を伝達することが成功する可能性をより高くすることが可能となる。
【００５３】
（第１の実施形態の全体的な動作）
次に、上記の実施形態の全体的な動作について説明する。
本実施形態に係る非常情報伝達方法は、予め記憶されている指定された宛先に音声通話網およびデータ通信網を介して非常情報を伝達することが可能な携帯端末装置１０にあって、ユーザから入力された音声信号を音声入力部が音声データに変換して記憶し（図５・ステップＳ２０３〜２０４）、音声データを音声認識部がテキストデータに変換して記憶し（図５・ステップＳ２０５）、宛先が音声通話網およびデータ通信網のいずれに対して指定されたものであるかを情報送出部が判断し（図５・ステップＳ２０８）、宛先が音声通話網に対して指定されたものであれば音声データを該宛先に送出し（図５・ステップＳ２０９）、宛先がデータ通信網に対して指定されたものであればテキストデータを該宛先に送出する（図５・ステップＳ２１０）処理を情報送出部が全ての宛先に対して行う（図５・ステップＳ２１１〜２１３）。
【００５４】
ここで、上記各動作ステップについては、これをコンピュータで実行可能にプログラム化し、これらを前記各ステップを直接実行する携帯端末装置１０に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００５５】
本実施形態の携帯端末装置１０によれば、ユーザに対して要求される操作は、操作メニューの筆頭として表示された「非常情報送信」を選択して、「私は無事です」などのような音声を入力するだけである。これは決して煩雑な操作ではないので、大規模災害発生直後などのような時間的にも心情的にも余裕がない状態であっても十分に可能である。
【００５６】
それでいて、音声通話網およびデータ通信網の両方を利用して非常情報の送信を行って、送信に失敗した場合にはリトライを繰り返すので、真っ先に非常情報を伝達すべき家族や親族に対してその伝達が成功する可能性を向上させることが可能となる。本実施形態は、たいていの携帯電話端末で（フィーチュアフォンおよびスマートフォンの種別を問わず）標準的に備えられているハードウェアのみで実施可能である。またソフトウェアについても、通常のものに対して大きな改変を必要とはしない。
【００５７】
（第２の実施形態）
本発明の第２の実施形態に係る携帯端末装置３１０は、前述した第１の実施形態の構成に加えて、デジタル写真を撮影して写真データとして出力する撮影手段３１８を備えると共に、情報送出部３２６が、テキストデータをデータ通信網に対して指定された宛先宛に送出する際に写真データを付属させて送出する構成とした。
【００５８】
この構成によっても前述した第１の実施形態による効果が得られるのみならず、非常情報にユーザの現在地周辺の状況についての情報を含めることが可能となるので、より有用な情報を家族や親族、あるいは消防署、警察署、病院などの公的機関に対して伝達することが可能となる。
以下、これについてより詳しく説明する。
【００５９】
図７は、本発明の第２の実施形態に係る携帯端末装置３１０の構成について示す説明図である。携帯端末装置３１０は、前述の第１の実施形態に係る携帯端末装置１０と同一の構成に加えて、ハードウェアとしてデジタル写真を撮影するカメラである撮影手段３１８が追加されている。
【００６０】
そして、主演算制御手段１１上で動作する機能部として、撮影手段３１８が撮影したデジタル写真を写真データとして取得する写真情報登録部３２７が追加され、情報送出部２６が別の情報送出部３２６に置換されている。さらに、記憶手段１２上の記憶領域として写真情報記憶部３３１が追加されている。写真情報登録部３２７は、取得した写真データを写真情報記憶部３３１に記憶させる。これら以外は、第１の実施形態に係る携帯端末装置１０と同一の名称および参照番号でいう。
【００６１】
携帯端末装置３１０が、宛先情報記憶部２７に音声データおよびテキストデータの送信先を予め記憶させる動作は、図２のフローチャートで説明した第１の実施形態の場合と同一である。ここで表示される送信先登録画面１５０〜１５２も、図３で示したものと同一でよい。
【００６２】
図８は、図７で示した携帯端末装置３１０で、災害発生時の非常情報送信の動作について示すフローチャートである。図７のフローチャートは、図５で示した第１の実施形態の場合と同一の動作を多く含むので、同一の動作については同一のステップ番号でいう。まず、動作開始からステップＳ２０１〜２０６までの動作は、図５で示した第１の実施形態の場合と同一である。
【００６３】
ステップＳ２０６で位置情報データを取得する動作までが終了した後、写真情報登録部３２７はユーザに写真撮影を促す表示を操作入出力手段１３に表示し、ユーザはこれに応じてユーザは現在地周辺の風景を撮影手段３１８によって撮影し、撮影された写真データを写真情報登録部３２７が写真情報記憶部３３１に記憶する（ステップＳ４０１）。
【００６４】
音声データ、テキストデータ、位置情報データと写真データとが揃ったところで、情報送出部３２６が宛先情報記憶部２７から送信先を読み出すステップＳ２０７に進み、その送信先に送信すべきデータ種類が音声データかテキストデータかを判断する（ステップＳ２０８、図５と同一）。
【００６５】
送信すべきデータ種類が「音声データ」であれば情報送出部３２６が音声データを登録された送信先に送信し（ステップＳ２０９、図５と同一）、送信すべきデータ種類が「テキストデータ」であれば情報送出部３２６がテキストデータ、位置情報データと写真データとを登録された送信先に送信し（ステップＳ４０２）、ステップＳ２１１に進む。以後の動作は、図５で示した第１の実施形態の場合と同一である。
【００６６】
以上の構成により、本実施形態に係る携帯端末装置３１０は、前述した第１の実施形態による効果が得られるだけでなく、伝達される非常情報にユーザの現在地周辺の状況についての情報を含めることが可能となる。従って、より有用な情報を家族や親族に対して伝達することが可能となる。特にユーザの負傷や建物の損壊など、消防署、警察署、病院などの公的機関に対して緊急の措置を要請することが必要である場合に有用である。
【００６７】
（実施形態の拡張）
以上で述べた第１および第２の実施形態には、その趣旨を改変しない範囲で様々な拡張が考えられる。以下、それについて説明する。
【００６８】
たとえば、携帯端末装置に複数種類の連絡先を予め記憶しておいて、その連絡先の種類に応じて異なる音声データおよびテキストデータを伝達するようにしてもよい。より具体的には、家族や親族だけでなく、消防署、警察署、医療機関などの公的機関を予め記憶しておく連絡先に含めて、家族に対しては「私は無事です」などのように自らの無事を伝える内容、各機関に対してはたとえば「左足が負傷で動きません。救急車出動をお願いします」などのようなより具体的な措置を求める内容を伝達するようにもできる。ただし、ユーザが非常時に行うべき操作が煩雑になり過ぎない範囲で、この拡張を行うことが望ましい。
【００６９】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００７０】
上述した実施形態について、その新規な技術内容の要点をまとめると、以下のようになる。なお、上記実施形態の一部または全部は、新規な技術として以下のようにまとめられるが、本発明は必ずしもこれに限定されるものではない。
【００７１】
（付記１）  音声通話網およびデータ通信網を介して指定された宛先に非常情報を伝達することが可能な携帯端末装置であって、
前記音声通話網に接続する音声通信手段と、前記データ通信網に接続するデータ通信手段と、前記音声通話網および前記データ通信網の各々に対して一つ以上の前記指定された宛先を予め記憶している記憶手段と、ユーザが発音した音声を音声データに変換して前記記憶手段に記憶する音声入力部と、前記音声データをテキストデータに変換して前記記憶手段に記憶する音声認識部とを備えると共に、
前記記憶手段に記憶された各々の宛先が前記音声通話網および前記データ通信網のいずれに対して指定されたものであるかを順次判断して、その判断の結果に応じて前記音声データおよび前記テキストデータのうちのいずれかを前記各宛先に順次送出する情報送出部を設け、
この情報送出部が、前記宛先が前記音声通話網に対して指定されたものであれば前記音声データを該宛先に送出し、前記宛先が前記データ通信網に対して指定されたものであれば前記テキストデータを該宛先に送出する
ことを特徴とする携帯端末装置。
【００７２】
（付記２）  前記情報送出部が、
前記記憶手段に記憶された各々の宛先のうち、前記音声通話網および前記データ通信網のうちの一方の側の宛先に対する前記送出を先に完了させてから、残る一方の側の宛先に対する前記送出を行うことを特徴とする、付記１に記載の携帯端末装置。
【００７３】
（付記３）  前記情報送出部が、
前記音声データおよび前記テキストデータのうちのいずれかを送信する時に通信が確立しなかった場合にこれを検出してその宛先を前記記憶手段に記憶し、予め与えられた時間間隔を経て後その宛先に当該データを再送する機能を備えることを特徴とする、付記１に記載の携帯端末装置。
【００７４】
（付記４）  前記情報送出部が、
前記通信が確立しなかった前記音声データもしくは前記テキストデータを再送する場合の前記時間間隔を時間の経過に応じて長くする機能を備えることを特徴とする、付記３に記載の携帯端末装置。
【００７５】
（付記５）  前記音声データの入力が行われた現在位置を位置情報データとして取得する位置情報取得手段を備えると共に、
前記情報送出部が、前記テキストデータを前記データ通信網に対して指定された宛先宛に送出する際に前記位置情報データを付属させて送出することを特徴とする、付記１に記載の携帯端末装置。
【００７６】
（付記６）  デジタル写真を撮影して写真データとして出力する撮影手段を備えると共に、
前記情報送出部が、前記テキストデータを前記データ通信網に対して指定された宛先宛に送出する際に前記写真データを付属させて送出することを特徴とする、付記１に記載の携帯端末装置。
【００７７】
（付記７）  音声通話網およびデータ通信網の各々に対して一つ以上予め記憶されている指定された宛先に非常情報を伝達することが可能な携帯端末装置にあって、
ユーザが発音した音声を音声入力部が音声データに変換して記憶し、
前記音声データを音声認識部がテキストデータに変換して記憶し、
前記宛先が音声通話網およびデータ通信網のいずれに対して指定されたものであるかを情報送出部が判断し、
前記宛先が前記音声通話網に対して指定されたものであれば前記音声データを該宛先に送出し、前記宛先が前記データ通信網に対して指定されたものであれば前記テキストデータを該宛先に送出する処理を前記情報送出部が各々の前記宛先に対して行う
ことを特徴とする非常情報伝達方法。
【００７８】
（付記８）  音声通話網およびデータ通信網の各々に対して一つ以上予め記憶されている指定された宛先に非常情報を伝達することが可能な携帯端末装置にあって、
前記携帯端末装置が備えているコンピュータに、
ユーザが発音した音声を音声データに変換して記憶する手順、
前記音声データをテキストデータに変換して記憶する手順、
前記音声データを前記音声通話網に対して前記指定された宛先宛に送出する手順、
前記宛先が音声通話網およびデータ通信網のいずれに対して指定されたものであるかを判断する手順、
および前記宛先が前記音声通話網に対して指定されたものであれば前記音声データを該宛先に送出し、前記宛先が前記データ通信網に対して指定されたものであれば前記テキストデータを該宛先に送出する処理を各々の前記宛先に対して行う手順
を実行させることを特徴とする非常情報伝達プログラム。
【産業上の利用可能性】
【００７９】
本発明は、携帯端末装置（フィーチュアフォンおよびスマートフォン）において一般的に利用可能である。
【符号の説明】
【００８０】
１０，３１０  携帯端末装置
１１  主演算制御手段
１２  記憶手段
１３  操作入出力手段
１４  音声入出力手段
１５  データ通信手段
１６  音声通信手段
１７  位置情報取得手段
２１  操作入力部
２２  音声入力部
２３  音声認識部
２４  位置情報登録部
２５  宛先情報登録部
２６，３２６  情報送出部
２７  宛先情報記憶部
２８  音声データ記憶部
２９  テキストデータ記憶部
３０  位置情報記憶部
２５１  データ通信網
２５２  音声通話網
３１８  撮影手段
３２７  写真情報登録部
３３１  写真情報記憶部
【図１】
2013062639.tif 000003
【図２】
2013062639.tif 000004
【図３】
2013062639.tif 000005
【図４】
2013062639.tif 000006
【図５】
2013062639.tif 000007
【図６】
2013062639.tif 000008
【図７】
2013062639.tif 000009
【図８】
2013062639.tif 000010